(57)【特許請求の範囲】
【請求項１】
上方が開口し、内部に貯留部を有する容器本体と、その容器本体の上方開口部を開閉する蓋体と、前記貯留部の蒸気を外部に放出するために前記蓋体の内部に設けられる蒸気通路と、その蒸気通路からの蒸気の温度を検知するために前記容器本体における上方開口部の周縁に固定される温度検知具と、前記容器本体における上方開口部の周縁に固着される把手とを備えている湯沸し器であって、
前記温度検知具を保持する保持部材の一端側に形成された固着用孔を有する第１板部分が、前記固着用孔に挿通される螺着具により前記容器本体における上方開口部の周縁に固着されるとともに、前記温度検知具を挟んで前記螺着具と反対側において、前記保持部材の他端側に形成された第２板部分が、前記第２板部分の中央に前記温度検知具を保持した状態で、前記把手に設けられた押し付け部材により前記容器本体における上方開口部の周縁に押し付けられて固定されている湯沸し器。
【請求項２】
前記容器本体に対して前記保持部材の固定位置を確定するための位置決め用突起が、前記容器本体から突設されている請求項１に記載の湯沸し器。
【請求項３】
前記容器本体における上方開口部の周縁が、上方ほど外側に延出する傾斜周縁部に構成され、前記蓋体を閉じた状態で前記蒸気通路に連通する検知用開口部が、前記傾斜周縁部に形成されて、その検知用開口部に前記温度検知具が臨むように構成され、前記蓋体を閉じた状態で前記検知用開口部の周部を密閉するパッキンが、前記蓋体に設けられている請求項１又は２に記載の湯沸し器。
【請求項４】
前記パッキンの前記容器本体側の面が、前記蓋体を閉じた状態で前記傾斜周縁部に沿う傾斜密閉面を備えている請求項３に記載の湯沸し器。
【請求項５】
請求項１〜４のいずれか１項に記載の湯沸し器に固定される温度検知具の組み付け方法であって、
前記温度検知具を保持する状態で前記保持部材の一端側に形成された固着用孔を有する第１板部分を、前記固着用孔に挿通される螺着具により前記容器本体における上方開口部の周縁に固着し、その後、前記把手を前記容器本体における上方開口部の周縁に固着することによって、その把手に設けられた前記押し付け部材により前記保持部材の他端側に形成された第２板部分を、前記第２板部分の中央に前記温度検知具を保持した状態で、前記容器本体における上方開口部の周縁に押し付けて固定する温度検知具の組み付け方法。
【発明の詳細な説明】
【技術分野】
【０００１】
本発明は、上方が開口し、内部に貯留部を有する容器本体と、その容器本体の上方開口部を開閉する蓋体と、前記貯留部の蒸気を外部に放出するために前記蓋体の内部に設けられる蒸気通路と、その蒸気通路からの蒸気の温度を検知するために前記容器本体に固定される温度検知具と、前記容器本体に固着される把手とを備えている湯沸し器及びその温度検知具の組み付け方法に関する。
【背景技術】
【０００２】
このような湯沸し器としては、電気ケトルや電気ポット等があり、従来、蒸気の温度を検知するための温度検知具は、その温度検知具を保持する保持部材の少なくとも両端側、つまり、温度検知具を中心として保持部材の少なくとも両端側が、複数本のボルトやビス等の螺着具により容器本体に固着されていた（例えば、特許文献１及び２参照）。
【先行技術文献】
【特許文献】
【０００３】
【特許文献１】実公平８−１７０６号公報
【特許文献２】特開平９−２７１４４５号公報
【発明の概要】
【発明が解決しようとする課題】
【０００４】
しかし、上記特許文献１及び２に記載の従来技術では、温度検知具を中心として保持部材の少なくとも両端側が複数本の螺着具により容器本体に固着されていたので、温度検知具を中心として、その両端側に螺着具のためのスペースを確保する必要があった。
温度検知具は、蓋体の内部に設けられる蒸気通路からの蒸気の温度を検知するものであるから、当然、容器本体の上方開口部近くに固着する必要がある。特に、把手を備えた湯沸し器では、その把手の上部を容器本体の上方開口部近くに固着することもあり、温度検知具の周りはスペース的にあまり余裕のない部位なので、温度検知具の両端側に螺着具のためのスペースを要することには問題があった。
【０００５】
本発明は、このような従来の問題点に着目したもので、その目的は、温度検知具を容器本体に固着するためのスペースを極力小さくし、しかも、温度検知具を容器本体に対して確実に固着することのできる湯沸し器を提供すると共に、その温度検知具の組み付け方法を提供することにある。
【課題を解決するための手段】
【０００６】
上記目的を達成するための本発明に係る湯沸し器は、上方が開口し、内部に貯留部を有する容器本体と、その容器本体の上方開口部を開閉する蓋体と、前記貯留部の蒸気を外部に放出するために前記蓋体の内部に設けられる蒸気通路と、その蒸気通路からの蒸気の温度を検知するために前記容器本体における上方開口部の周縁に固定される温度検知具と、前記容器本体における上方開口部の周縁に固着される把手とを備えている湯沸し器であって、
その特徴構成は、前記温度検知具を保持する保持部材の一端側に形成された固着用孔を有する第１板部分が、前記固着用孔に挿通される螺着具により前記容器本体における上方開口部の周縁に固着されるとともに、前記温度検知具を挟んで前記螺着具と反対側において、前記保持部材の他端側に形成された第２板部分が、前記第２板部分の中央に前記温度検知具を保持した状態で、前記把手に設けられた押し付け部材により前記容器本体における上方開口部の周縁に押し付けられて固定されている点にある。
【０００７】
上記特徴構成によれば、温度検知具を保持する保持部材の一端側が、螺着具により容器本体に固着されるので、温度検知具の両端側が螺着具により固着されていた従来技術に比して、温度検知具を容器本体に固着する螺着具のためのスペースを温度検知具の一端側のみとすることができる。そのため、保持部材の一端側を単一の螺着具により容器本体に固着することも可能となり、その場合には、螺着具のためのスペースを小さくすることができる。
そして、温度検知具を保持する保持部材の他端側が、温度検知具を挟んで螺着具と反対側において、把手に設けられた押し付け部材により容器本体に押し付けられて固定されるので、温度検知具を保持する保持部材は、その一端側が螺着具により容器本体に固着されて他端側が押し付け部材により容器本体に押し付けられて固定されることになり、その結果、保持部材の一端側のみを螺着具により固着する構成であるにもかかわらず、容器本体に対して温度検知具を確実に固着することができる。
【０００８】
本発明に係る湯沸し器の更なる特徴構成は、前記容器本体に対して前記保持部材の固定位置を確定するための位置決め用突起が、前記容器本体から突設されている点にある。
【０００９】
上記特徴構成によれば、保持部材の固定位置を確定するための位置決め用突起が、容器本体から突設されているので、保持部材により保持される温度検知具は、容器本体に対して所定の固定位置に確実に固定される。
したがって、蓋体の内部に設けられる蒸気通路との相対位置関係も所望どおりとなり、蒸気通路からの蒸気の温度を確実に検知することができる。
【００１０】
本発明に係る湯沸し器の更なる特徴構成は、前記容器本体における上方開口部の周縁が、上方ほど外側に延出する傾斜周縁部に構成され、前記蓋体を閉じた状態で前記蒸気通路に連通する検知用開口部が、前記傾斜周縁部に形成されて、その検知用開口部に前記温度検知具が臨むように構成され、前記蓋体を閉じた状態で前記検知用開口部の周部を密閉するパッキンが、前記蓋体に設けられている点にある。
【００１１】
上記特徴構成によれば、容器本体における上方開口部の周縁が、上方ほど外側に延出する傾斜周縁部に構成されているので、その上方開口部に対する蓋体の開閉、特に蓋体により上方開口部を閉じる際、上方開口部周縁の傾斜周縁部が蓋体をガイドすることになり、蓋体による上方開口部の閉じ操作を容易、確実に行うことができる。
そして、蓋体を閉じた状態で蒸気通路に連通する検知用開口部が、その傾斜周縁部に形成されているのであるが、蓋体を閉じた状態で検知用開口部の周部を密閉するパッキンが蓋体に設けられているので、蓋体を閉じてさえすれば、蓋体に設けられたパッキンは、傾斜周縁部に対して適切な圧力で押圧される。その結果、傾斜周縁部に形成される検知用開口部の周部は、パッキンによって適切な圧力で密閉され、蒸気通路からの蒸気が検知用開口部から外部へ漏出することが防止される。
【００１２】
本発明に係る湯沸し器の更なる特徴構成は、前記パッキンの前記容器本体側の面が、前記蓋体を閉じた状態で前記傾斜周縁部に沿う傾斜密閉面を備えている点にある。
【００１３】
上記特徴構成によれば、検知用開口部の周部を密閉するパッキンの容器本体側の面が、蓋体を閉じた状態で傾斜周縁部に沿う傾斜密閉面を備えているので、検知用開口部の周部は、その全周にわたってほぼ均一な圧力で密閉され、パッキンによる検知用開口部周部の密閉がより確実なものとなり、検知用開口部からの蒸気の漏出がより一層確実に防止される。
【００１４】
本発明に係る湯沸し器に固定される温度検知具の組み付け方法の特徴構成は、前記温度検知具を保持する状態で前記保持部材の一端側に形成された固着用孔を有する第１板部分を、前記固着用孔に挿通される螺着具により前記容器本体における上方開口部の周縁に固着し、その後、前記把手を前記容器本体における上方開口部の周縁に固着することによって、その把手に設けられた前記押し付け部材により前記保持部材の他端側に形成された第２板部分を、前記第２板部分の中央に前記温度検知具を保持した状態で、前記容器本体における上方開口部の周縁に押し付けて固定する点にある。
【００１５】
上記特徴構成によれば、温度検知具を保持する状態で保持部材の一端側を螺着具により容器本体に固着し、その後、把手を容器本体に固着するので、換言すると、把手を固着する前に螺着具による保持部材の固着作業を行うので、螺着具による保持部材の固着作業を把手に邪魔されることなく容易に行うことができる。
そして、その後、把手を容器本体に固着することにより、把手に設けられた押し付け部材が保持部材の他端側を容器本体に押し付けて、保持部材を容器本体に固定することになるので、温度検知具の組み付け作業を容易、確実に行うことができる。
【図面の簡単な説明】
【００１６】
【図１】電気ケトルの外観を示す斜視図
【図２】ケトル本体が電源プレートから持ち上げられた状態での電気ケトルの斜視図
【図３】蓋体が開けられた状態での電気ケトルの斜視図
【図４】電気ケトルの縦断側面図
【図５】蓋体が閉じられた状態での温度検知具の固定構造部分を示す縦断側面図
【図６】蓋体が開けられた状態での温度検知具の固定構造部分を示す縦断側面図
【図７】温度検知具の組み付け固定手順を示す要部の斜視図
【図８】温度検知具の組み付け固定手順を示す要部の斜視図
【図９】温度検知具の組み付け固定手順を示す要部の斜視図
【図１０】温度検知具の組み付け固定手順を示す要部の斜視図
【図１１】温度検知具の固定完了状態を示す要部の一部切欠き平面図
【発明を実施するための形態】
【００１７】
本発明による湯沸し器及び湯沸し器に固定される温度検知具の組み付け方法の実施の形態を図面に基づいて説明する。
湯沸し器の一例である電気ケトルは、図１〜図４に示すように、電源プレートＰとその電源プレートＰに載置自在なケトル本体Ｋとを備えている。
ケトル本体Ｋの内部には、湯水を貯留する貯留部１が設けられ、ケトル本体Ｋの外周部には、ケトル本体Ｋを持ち上げるための把手２が設けられ、ケトル本体Ｋの外周部の上部側には、貯留部１内の湯水を注ぐ注ぎ口３が設けられていて、把手２と注ぎ口３が、ケトル本体Ｋの上部の中心に対して互いに反対側に振り分けて設けられている。
ケトル本体Ｋは、内部に貯留部１を有して上方が開口した概ね有底円筒状の容器本体１００と、その容器本体１００の上方開口部を開閉する概ね円盤状の蓋体２００とを備えて構成され、容器本体１００の外周部に把手２が固着されている。
【００１８】
ケトル本体Ｋには、貯留部１内の湯水を加熱する電気ヒータ４が備えられ、外部から供給される電力を電気ヒータ４に供給する受電機構５が底面の中央部に位置する状態で備えられ、操作盤６が側周面の下部に位置する状態で備えられている。その操作盤６には、図示は省略するが、電気ヒータ４への通電の開始及び停止を指令する運転スイッチ等が備えられている。
それに対し、電源プレートＰには、電源コード（図示省略）を通して供給される電力を外部に出力する給電機構７が上面の中央部に位置する状態で備えられ、ケトル本体Ｋを電源プレートＰに載置した給電姿勢において、受電機構５と給電機構７とが導通状態に接続されて、給電機構７から受電機構５を介して電気ヒータ４に給電されて、貯留部１内の湯水が加熱されるように構成される。そして、把手２を把持してケトル本体Ｋを持ち上げて傾けることにより、貯留部１内の湯水を注ぎ口３から注ぐことになる。
【００１９】
ケトル本体Ｋの蓋体２００には、蓋体２００を容器本体１００の開口部を閉じる閉じ位置に保持する一対のフック部材８、注ぎ口３からの貯留部１内の湯水の流出を許容するか否かに切り換えるための弁操作具９、及び、貯留部１で発生する蒸気を放出するための蒸気口１０等が設けられている。
容器本体１００は、有底円筒状の外郭部材１１の上方開口部に周縁部材１２を嵌め込むと共に、その周縁部材１２に有底円筒状の貯留部１を吊り下げ支持して構成され、更に、中空状の把手２が周縁部材１２と外郭部材１１とに跨って固着されている。
周縁部材１２の上方周縁、換言すると、容器本体１００における上方開口部の周縁は、図５及び図６に拡大して示すように、上方ほど外側に延出する傾斜周縁部１２ａに構成され、その傾斜周縁部１２ａに近接して把手２の上端部が固着されると共に、蒸気通路２０、２１（詳細は後述する）を通して貯留部１から導かれる蒸気の温度を検知する温度検知具１３が、その傾斜周縁部１２ａに固定されている。
そして、図示は省略するが、外郭部材１１の底部と貯留部１の底部との間の空間に制御部が設けられ、その制御部が、操作盤６からの指令や温度検知具１３の検出情報に基づいて電気ヒータ４への通電の制御等を行うように構成されている。
【００２０】
蓋体２００は、概ね、蓋本体部材１４と、その蓋本体部材１４の上方の蓋カバー１５と、蓋本体部材１４の下方の内蓋板１６と、その内蓋板１６の外周部のシール材１７とを一体的に組み付けて構成されている。
容器本体１００の周縁部材１２には、注ぎ口３の下方部分を構成する溝状部１２ｍが形成され（図３参照）、蓋体２００の蓋本体部材１４には、注ぎ口３の上方部分を構成する庇部１４ｅが設けられている。
そして、周縁部材１２の溝状部１２ｍの上方を蓋本体部材１４の庇部１４ｅが覆う状態となる蓋体装着時の相対位置関係で、蓋体２００を容器本体１００の上方開口部に装着すると、周縁部材１２の溝状部１２ｍと蓋本体部材１４の庇部１４ｅにより、筒状の注ぎ口３が形成されることになる。
【００２１】
蓋体２００を構成する内蓋板１６には、図４に示すように、複数の孔１６ｈが形成され、蓋体２００における蓋本体部材１４と内蓋板１６との間には、内蓋板１６に形成された複数の孔１６ｈを通して容器本体１００の貯留部１に連通する容器連通空間１８が形成されている。
そして、蓋本体部材１４には、図４において注ぎ口３内に破線矢印にて示すように、基端が容器連通空間１８に臨んで注ぎ口３内に延びる注ぎ用通路１９、及び、基端が容器連通空間１８に臨んで先端が蓋体２００の上面部にまで延びる蒸気放出用の蒸気通路２０が形成され、その蒸気放出用の蒸気通路２０の先端開口部が蒸気口１０として機能する。
その蓋本体部材１４には、図４において蒸気通路２０内等に破線矢印にて示すように、蒸気放出用の蒸気通路２０から分岐する温度検知用の蒸気通路２１が形成され、図５に示すように、その温度検知用の蒸気通路２１は、その先端が、蓋体２００が容器本体１００に装着された状態で、蓋本体部材１４の側周部において、傾斜周縁部１２ａに形成された検知用開口部１２ｂに連通するように構成されて、その検知用開口部１２ｂに臨むように温度検知具１３が設けられている。
【００２２】
この温度検知具１３の固定構造及び組み付け方法について詳述すると、図５、図６、及び、図１１に固定状態を示し、図７〜図１０に組み付け固定手順を示すように、温度検知具１３は、有底円筒状のフランジ付きのキャップ２２が被せられた状態で、保持部材２３の中央に形成された温度検知具保持用の円形孔２３ａに内嵌されて保持部材２３により保持され、その保持部材２３の一端側には、固着用孔２３ｂが形成されている。つまり、保持部材２３は、図８〜図１１にも示すように、円形孔２３ａを有する円形の板部分（第２板部分）２３ｃ、固着用孔２３ｂを有するほぼ矩形の板部分（第１板部分）２３ｄ、及び、両板部分２３ｃ、２３ｄを連結する連結板部分２３ｅを備えて一体的に構成され、その円形孔２３ａに温度検知具１３が内嵌保持されるように構成されている。
他方、容器本体１００の周縁部材１２の外径側には、雌ねじ部を有する円柱状の雌ねじ部材１２ｃが一体的に突設されると共に、保持部材２３の固定位置を確定するための複数の位置決め用突起１２ｄが一体的に突設されている。
【００２３】
そして、保持部材２３の一端側に形成された固着用孔２３ｂに単一の螺着具としてのボルト（又はビス）２４を挿通して雌ねじ部材１２ｃの雌ねじ部に螺合することにより、容器本体１００の周縁部材１２における傾斜周縁部１２ａとキャップ２２のフランジとの間に外側パッキン２５を挟み込んだ状態で、保持部材２３の一端側が周縁部材１２の傾斜周縁部１２ａに固着されている。
その保持部材２３の他端側、つまり、温度検知具１３を挟んでボルト２４と反対側の端部は、把手２の上部に一体的に設けられた断面Ｌ字状の押し付け部材２ａ（図１０、図１１参照）により容器本体１００の傾斜周縁部１２ａに押し付けられ、その結果、温度検知具１３は、保持部材２３を介して検知用開口部１２ｂに臨む状態で固定されている。
【００２４】
この温度検知具１３の組み付け固定に際しては、図７に示すように、キャップ２２に外側パッキン２５を外嵌した後、その外側パッキン２５を外嵌したキャップ２２を周縁部材１２の傾斜周縁部１２ａに形成の検知用開口部１２ｂに挿入するか、又は、検知用開口部１２ｂの周りに外側パッキン２５を配置した後、その外側パッキン２５の外側から検知用開口部１２ｂにキャップ２２を挿入する。そして、図８に示すように、キャップ２２内に温度検知具１３を挿入した後、保持部材２３の円形孔２３ａを温度検知具１３に外嵌するか、又は、保持部材２３の円形孔２３ａ内に温度検知具１３を挿入した後、その温度検知具１３をキャップ２２内に挿入する。いずれにせよ、保持部材２３により温度検知具１３を保持する状態にするのであり、その保持部材２３は、複数の位置決め用突起１２ｄによって傾斜周縁部１２ａに対する固定位置が確定される。
その後、図９に示すように、保持部材２３の固着用孔２３ｂにボルト２４を挿通して雌ねじ部材１２ｃの雌ねじ部に螺合し、その螺合操作の際、位置決め用突起１２ｄによって保持部材２３の共回りが防止され、温度検知具１３は所定の位置に確実に固定される。そして、最後に、図１０に示すように、把手２を容器本体１００に固着するのであり、その把手２の固着によって、把手２に設けられた押し付け部材２ａが、保持部材２３の他端側を容器本体１００に押し付けて固定する。
【００２５】
そして、蓋体２００の蓋本体部材１４には、図５及び図６に示すように、傾斜周縁部１２ａに形成された検知用開口１２ｂの周部を密閉する蓋側パッキン２６が設けられ、蓋体２００を閉じた状態で、検知用開口部１２ｂの周部が、上述した外側パッキン２５に加えて、蓋側パッキン２６により内側からも密閉されるように構成されている。
その蓋側パッキン２６は、蓋体２００の蓋本体部材１４に固定される本体部分２６ａと検知用開口部１２ｂの周部に密接する中空のパッキン部２６ｂを備えている。そのパッキン部２６ｂの容器本体１００側の面は、蓋体２００を閉じた状態で周縁部材１２の傾斜周縁部１２ａに沿う傾斜密閉面２６ｃを備えている。
そして、蓋側パッキン２６の本体部分２６ａとパッキン部２６ｂには、貫通孔２６ｄが形成されていて、蓋体２００を閉じた状態で、その貫通孔２６ｄが、温度検知用の蒸気通路２１と傾斜周縁部１２ａの検知用開口部１２ｂとを互いに連通させて、貯留部１からの蒸気を蒸気放出用と温度検知用の蒸気通路２０、２１を介して温度検知具１３の温度検知部に導くように構成されている。
したがって、電気ヒータ４による加熱で貯留部１内の水が沸騰して蒸気が発生すると、その蒸気が蒸気放出用の蒸気通路２０を通って蒸気口１０から放出されると共に、温度検知用の蒸気通路２１から蓋側パッキン２６の貫通孔２６ｄを通って検知用開口部１２ｂに導かれて温度検知具１３により温度検知される。そして、温度検知具１３が蒸気の温度を検知すると、制御部が電気ヒータ４への通電を遮断するのである。
【００２６】
その他、詳細な説明は省略するが、図４に示すように、蓋体２００には、電気ケトルが転倒すると、蒸気放出用の蒸気通路２０を閉じるように移動して、貯留部１内の湯水が蒸気口１０等から漏出するのを防止する２個の錘体２７が設けられている。
また、弁体２８の上下動により注ぎ口３からの貯留部１内の湯水の流出を許容する開き状態と阻止する閉じ状態とに切り換え自在な弁機構Ｖも設けられ、弁操作具９を押し下げると、図外の連動機構を介して弁機構Ｖが開き、押し下げを解除すると、弁操作具９が弾性復帰して、弁機構Ｖが閉じるように構成されている。
このような構成からなる蓋体２００は、容器本体１００の上方開口部に載置して下方に押し下げることにより、一対のフック部材８が、容器本体１００に設けられた凹部２９（図３参照）に弾性的に嵌まり込んで、蓋体２００が閉じ位置で容器本体１００に保持され、一対のフック部材８を両側から挟む状態で把持して互いに近接させることにより、フック部材８が凹部２９から外れて、そのまま蓋体２００を持ち上げることで、容器本体１００から取り外すことができるように構成されている。
【００２７】
〔別実施形態〕
（Ａ）上記実施形態では、容器本体１００の周縁部材１２に保持部材２３の固定位置を確定するための位置決め用突起１２ｄを突設した例を示したが、この位置決め用突起１２ｄは必ずしも必要なものではなく、位置決め用突起１２ｄをなくして実施することもでき、また、位置決め用突起１２ｄを設ける場合、その位置決め用突起１２ｄの個数については任意に設定することができる。
【００２８】
（Ｂ）上記実施形態では、容器本体１００における上方開口部の周縁を傾斜周縁部１２ａに構成した例を示したが、上方開口部の周縁を傾斜周縁部１２ａとせずに、例えば、鉛直方向に沿う周縁部にして実施することもでき、また、蓋側パッキン２６についても、必ずしも傾斜密閉面２６ｃを設ける必要はない。
そして、本発明は、先の実施形態で示した電気ケトルに限らず、例えば、電気ポットにおいても適用可能である。
【００２９】
（Ｃ）上記実施形態では、押し付け部材２ａを断面Ｌ字状の部材で構成した例を示したが、保持部材２３の他端側、つまり、温度検知具１３を挟んでボルト２４と反対側の端部を容器本体１００側へ押し付ける機能を有していればよく、したがって、押し付け部材２ａの形状や構成については種々の改変が可能である。
更に、保持部材２３の一端側を単一のボルト２４により容器本体１００に固着した例を示したが、保持部材２３の一端側を複数本のボルト２４により容器本体１００に固着して実施することもできる。
【産業上の利用可能性】
【００３０】
以上説明したように、温度検知具を容器本体に固着するためのスペースを極力小さくし、しかも、温度検知具を容器本体に対して確実に固着することのできる湯沸し器及びその温度検知具の組み付け方法を提供することができる。
【符号の説明】
【００３１】
１          貯留部
２          把手
２ａ        押し付け部材
１２ａ      傾斜周縁部（上方開口部の周縁）
１２ｂ      検知用開口部
１２ｄ      位置決め用突起
１３        温度検知具
２０、２１  蒸気通路
２３        保持部材
２３ｂ      固着用孔
２３ｃ      第２板部分
２３ｄ      第１板部分
２４        ボルト（螺着具）
２６        蓋側パッキン（パッキン）
２６ｃ      傾斜密閉面
１００      容器本体
２００      蓋体
【図１】
0005396334.tif 000002
【図２】
0005396334.tif 000003
【図３】
0005396334.tif 000004
【図４】
0005396334.tif 000005
【図５】
0005396334.tif 000006
【図６】
0005396334.tif 000007
【図７】
0005396334.tif 000008
【図８】
0005396334.tif 000009
【図９】
0005396334.tif 000010
【図１０】
0005396334.tif 000011
【図１１】
0005396334.tif 000012